(57)【要約】      （修正有）【課題】筆巻を上下逆さまにして持ち歩いても筆巻から筆が落下することがなく、多種多様な筆を確実に保持でき、なお且つ、筆の収納と取り出しを容易に行える筆巻を提供する。【解決手段】二つに折り重ねられた布の間にすだれ７を挟み、すだれ７の外周に沿って重ねられた布を縫い合わせる。布をすだれの上部に余剰に延在させることにより、すだれ７の上部で折り返しができる蓋１ｂを形成する。すだれ７の一方の面上に配置された布に収納ポケット２と帯状支持部を縫い付ける。【選択図】図５
0003138909.tif 000002
【実用新案登録請求の範囲】
【請求項１】
すだれの表裏両面を通気性のある布で挟んでなることを特徴とする筆巻。
【請求項２】
すだれの表裏両面を布で挟み、その布を前記すだれの上部または上下両部に余剰に延在させることにより、前記すだれの上部または上下両部で折り返しが可能な布の蓋を形成したことを特徴とする筆巻。
【請求項３】
すだれの一方の面上に少なくとも該すだれの一部を覆う第１の布を配置し、前記すだれの他方の面に面全体を覆う第２の布を配置し、前記第２の布を前記すだれの上部に余剰に延在させることにより、前記すだれの上部で折り返しが可能な布の蓋を形成したことを特徴とする筆巻。
【請求項４】
すだれと、
前記すだれの一方の面上に配置され、少なくとも前記すだれの一部を覆う布と、
前記布に設けられ、筆の尾部を収納する収納ポケットと、
前記布に設けられ、筆の柄の中腹を支持する帯状支持部と、
を有することを特徴とする筆巻。
【請求項５】
すだれの表面全面を覆い、前記すだれの上部に余剰に延在する第１の布と、前記すだれの裏面全面を覆い、前記すだれの上部に余剰に延在する第２の布とを有し、
前記第１の布と前記第２の布を前記すだれの外周に沿って縫い合わせ、
前記第１の布に、筆の尾部を収納するための収納ポケットと筆の柄の中腹を支持するための帯状支持部を縫い付けてなることを特徴とする筆巻。
【請求項６】
二つに折り重ねられた布の間にすだれを挟み、すだれの外周に沿って前記重ねられた布を縫い合わせた筆巻であって、
前記布をすだれの上部に余剰に延在させることにより、すだれの上部で折り返しができるように形成された布の蓋と、
前記すだれの一方の面上に配置された布に縫い付けられた収納ポケットと、
前記すだれの前記一方の面上に配置された布に縫い付けられた帯状支持部と、
を有し、
前記収納ポケットにより筆の尾部を収納し、前記帯状支持部により筆の柄の中腹を支持することを特徴とする筆巻。
【考案の詳細な説明】
【技術分野】
【０００１】
本考案は、書道用の筆や絵筆などの筆、その他の筆記具を持ち運ぶための筆巻に関し、特に、すだれの周りを布で包んでなる筆巻に関するものである。 
【背景技術】
【０００２】
書道用の筆や絵筆を持ち運ぶための筆巻として、図１１（ａ）に示すように筆Ｓをすだれ７に巻いて携帯するものが知られている。このように単にすだれで筆を巻きつける筆巻の場合、筆の位置がずれてしまい、上手く巻きつけられないことがある。
そのため、筆の位置を固定する位置固定用の部材を備えた筆巻が考え出されている。
【０００３】
例えば、実開昭６３−１７５９３１号公報（特許文献１）では図１１（ｂ）に示すように、複数の筒状の収納筒５０を備えたシートをすだれ７に取付け、収納筒５０に筆Ｓを通し、すだれ７を巻いて携帯する筆巻が開示されている。
また、実用新案登録第３１２１４０２号公報（特許文献２）では、筆の尾部を差し込んで保持するための布製の筆入れ袋をすだれに縫い付け、筆を筆入れ袋に差し込んで、すだれを巻いて筆を保持する筆巻が開示されている。
【特許文献１】実開昭６３−１７５９３１号公報
【特許文献２】実用新案登録第３１２１４０２号公報
【特許文献３】実公昭６２−２７１５１号公報
【特許文献４】実開昭６１−１３９６２３号公報
【特許文献５】特開２００４−８６９１号公報
【考案の開示】
【考案が解決しようとする課題】
【０００４】
書道及び水彩画等の制作においては、文字や描く線の種類に応じて筆の太さを変える必要がある。そのため、一人の書道家や画家が携帯する筆は１本ではなく複数本になり、各筆の長さや太さは多種多様なものになる。
そして、このような多種多様の筆をまとめて筆巻に収納して巻くと、細い筆の周りに部分的に隙間が発生し、すだれによる締め付けが弱くなる場合がある。
その結果、巻いた状態の筆巻を上下逆さまに携帯した場合に、細い筆が筆巻の上部からすべり落ちることがあった。
【０００５】
また、特許文献１や特許文献２に示される従来の筆巻においては、筒状や袋状の収納部により筆が固定されているが、収納部の長さが長い場合には、収納部の中に筆が潜り込んでしまい、筆の出し入れが困難になる。
一方、収納部の長さが短い場合には、筆を安定して固定することができず、例えば、巻いていない状態で持ち上げると筆が筆巻から落下することがあった。
【０００６】
また、従来の筆巻は、筒状や袋状の収納部をすだれに直接取り付けるものであり、これらの収納部をすだれに取り付けるためには、すだれの籤と籤の間の隙間に糸を通して縫い付ける必要があった。
このため、すだれに収納部を縫い付けるにはミシンなどの機械を使用することが困難であり、手縫いで取り付ける必要があった。
【０００７】
本出願に係る考案は、上記のような問題点を解決するためになされたものであり、その目的とするところは、筆巻を上下逆さまにして持ち歩いても筆巻から筆が落下することがなく、多種多様な筆を確実に保持でき、なお且つ、筆の収納と取り出しを容易に行える筆巻を提供することにある。
また、本出願のその他の目的とするところは、筆の収納部をすだれに直接取り付ける煩わしさをなくし、収納部の取付けがより容易に行える筆巻を提供することにある。
【課題を解決するための手段】
【０００８】
上記の目的を達成するため、本考案の筆巻はすだれを布で覆い、その布をすだれの上部に余剰に延在させることにより、すだれの上部で折り返しが可能な蓋を形成している。
本考案によれば、布の余剰分により形成された蓋を折り返すことにより、筆の頭部にあたる穂を布地でカバーすることができるため、筆巻を上下逆さまにして持ち歩いても筆巻から筆が落下することがない。
【０００９】
また、筆巻の内面側の布には、筆の柄の尾部を収納するための収納ポケットと、筆の柄の胴体部分を保持する帯状支持部を設けている。
収納ポケットの上部縁との間に所望の間隔をあけて帯状支持部を配設することにより、多種多様な筆を確実に保持し、なお且つ、筆の収納と取り出しを容易に行うことができる。
【００１０】
さらに本考案では、すだれの表裏両面を布で挟んで綴じ、収納ポケットは内面側の布に取り付けている。収納ポケットは布地に対して縫い付け、あとは収納ポケットを取り付けた布ですだれを挟んで外周を綴じれば良い。
従来のように直接すだれに収納部を取り付けるような困難な作業を行わなくて良いため、生産効率が良く、容易に量産化をすることができる。
【考案の効果】
【００１１】
本考案によれば、筆巻を上下逆さまにして持ち歩いても、筆巻から筆が落下することがない。
また、筆巻を巻いていない状態においても筆を確実に固定でき、なお且つ、筆を容易に出し入れすることができる。
さらに、直接すだれに収納部を取り付けるような困難な作業を行わなくて良いため、生産効率が良く、容易に量産化をすることができる。
【考案を実施するための最良の形態】
【００１２】
以下、本考案の実施例を図面に基づいて詳細に説明する。
図１は本考案の筆巻の蓋を開けた状態を示す斜視図、図２は筆巻に筆を収納して蓋を折りたたむ様子を示す斜視図、図３は筆巻を丸め込む様子を示す斜視図、図４は筆巻を巻いた状態を示す斜視図、図５は筆巻の一部を断面で表した斜視図である。
図５に示すように本考案の筆巻１は、細い蘆（あし）または細く割った竹を糸で編み列ねたすだれ７を、上下から２枚の布で挟み込み、布の四方を糸で縫い合わせたものである。
すだれ７は従来の筆巻と同様に筆を巻くための芯になり、図２に示すように筆Ｓを収納して蓋１ｂを内側に折りたたんで、図３に示すように図示左側から丸め込み、図４に示すように巻物状にして筆を持ち運ぶことができる。
【実施例】
【００１３】
図１に示すように筆巻１は外形がやや横長な長方形をなす。本実施例の筆巻１は、縦の長さＬ１が約４０ｃｍ、横幅Ｗ１が約４５ｃｍの筆巻を例に示しているが、筆巻１のサイズはこれに限られるものではなく、収納する筆の長さや太さに応じて適切なサイズで作れば良い。
例えば、縦の長さＬ１が２０ｃｍ、横幅Ｗ１が２０ｃｍの筆巻や、縦の長さＬ１が２０ｃｍ、横幅Ｗ１が４０ｃｍの筆巻でも良い。
また、筆巻１の縦横の比率Ｌ１：Ｗ１は、３：１〜１：３の範囲内であることが望ましい。
【００１４】
筆巻１は、本体１ａと蓋１ｂ、収納ポケット２、帯状支持部３、そして留め帯４よりなる。
本体１ａと蓋１ｂは一体に連続しており、すだれ７に相当する部分を本体１ａ、本体１ａから上部に延在する布の部分を蓋１ｂと称する。
【００１５】
図５に示すように、本体１ａはすだれ７を上下から２枚の布で挟み込んでなる。本体１ａから上部に延在する蓋１ｂは、２枚の布が重なっているだけで、間にすだれは挟み込まれていない。本体１ａと蓋１ｂの境目１１は、すだれ７の上端縁に沿って上下２枚の布を糸で縫合し、本体１ａから蓋１ｂ側にすだれ７がずれて移動することを防止する。
本実施例においては本体１ａから連続して上部に延在させた布を蓋１ｂにしているが、すだれ７を上下から２枚の布で挟み込んで本体１ａを作り、それとは別の布で蓋１ｂを作り、両者を縫い合わせても良い。
【００１６】
図１に示すようにすだれ７のサイズは、縦の長さＬ２が約２５ｃｍ、横幅は本体１ａの横幅Ｗ１よりも左右からバイアステープ５の幅分だけ小さい。すだれ７の縦の長さＬ２はＬ１よりも小さければ良いが、蓋１ｂとしての機能を考慮すると、蓋１ｂの長さ（Ｌ１−Ｌ２）が少なくとも５ｃｍ以上になるようにするのが良い。また、蓋１ｂの長さ（Ｌ１−Ｌ２）はＬ２以下にする。
【００１７】
すだれ７を上下から挟み込む布は、すだれの特性である通気性の利点を生かすために、通気性のある布を使用する。例えば、綿、絹、麻、合成繊維、不織布などの布地を使用することができる。
本実施例においては、縦に長い一枚布を筆巻１の上端で二つに折り曲げて重ね、上下２枚の布としてすだれ７を挟んでいる。
また、すだれ７を上下から挟み込む布は、上下別々の２枚の布を用いることもできる。上下２枚の布は同一の素材である必要はなく、筆巻１の内側に相当する上の布として吸水性に優れた厚手の布を用い、筆巻１の外側に相当する下の布として通気性に優れた薄手の布を用いても良い。
内側の布は吸水性に優れるため、蓋１ｂを折り返して筆の穂を挟んだときに、筆の穂から水分をすばやく吸収することができる。また、外側の布は通気性に優れるため、内側の布で吸収した水分を筆巻１の外に効果的に蒸発させることができる。
これにより、筆巻１に収納された筆が湿った状態のままになるのを防ぎ、穂にカビが生えるのを防止することができる。
【００１８】
図１に示すように、本体１ａの上面には収納ポケット２を備える。
収納ポケット２は本体１ａの布と同様の布素材からなる。収納ポケット２の左右の縁は本体１ａの左右の縁にそれぞれ縫い付けられ、下の縁は本体１ａの下の縁に縫い付けられている。収納ポケット２の上の縁のみが本体１ａに縫い付けられずに開放され、筆の尾部を収納するための開口を形成している。
収納ポケット２は、一枚布をポケットの上の縁で折り曲げて２枚重ねにした状態で本体１ａに縫い付ける。また、収納ポケット２は通気性のある布で形成する必要はなく、ビニールシートなどの合成樹脂シートを用いても良い。
本実施例において収納ポケット２の横幅は、本体１ａの横幅Ｗ１とほぼ同じ横幅であるが、本体１ａの横幅Ｗ１より小さくても良い。
また、収納ポケット２の縦の長さＬ３はＬ２よりも小さければ良く、筆の柄を収納するという目的からは、長さＬ３は１５ｃｍほどあっても問題ない。筆の柄の入れやすさを考慮すると、収納ポケット２の縦の長さＬ３は筆巻１の下縁から３〜８ｃｍ程度であることが望ましい。
【００１９】
さらに収納ポケット２は左右の中間点において、本体１ａの上面の布に数箇所ほど縫い付けられている。図１では等間隔に縦縫い２ａを５箇所施している。このように収納ポケット２の左右の中間点を本体１ａの上面の布に縫い付けることにより、収納ポケット２の開口が大きく開ききることを防止する。
図１では、収納ポケット２の上の縁から下の縁まで縦方向に直線状の縦縫い２ａを施した例を示すが、上の縁の一部のみを短い直線で縫いつけても同様の効果を得ることができる。縦縫い２ａの数は５箇所に限るものではなく、５箇所未満でも５箇所以上でも良い。
縦縫い２ａの間隔は筆が１本ずつ入る間隔でも良いが、２〜５本程度の筆をまとめて収納できる間隔であることが望ましい。また、各縦縫い２ａの間隔は全て一定の等間隔である必要はなく、筆が２本収まる間隔や、筆が４本収まる間隔などを混在させても良い。
【００２０】
図１に示すように、本体１ａの上面には本体１ａの横方向に沿って帯状支持部３を備えている。
帯状支持部３は幅が５〜２０ｍｍの細長い帯状布からなり、本体１ａの上面の布に取付けられている。本実施例では、帯状支持部３の素材としてサテンを用いている。サテンは滑らかであるため筆の柄が通り易く、また光沢もあるためデザイン性もよい。
帯状支持部３は、複数箇所の縦縫い３ａにより本体１ａ上面の布に縫い付けられる。各縦縫い３ａにより、筆が１本入る分のたるみをもたせて帯状布を縫い付け、複数の支持輪３ｂを形成する。
各支持輪３ｂの大きさは一定である必要はなく、大きな筆を入れるための大きな支持輪３ｂや小さな筆を入れるための小さな支持輪３ｂを混在させても良い。
筆は支持輪３ｂを通り収納ポケット２に真っ直ぐに収納される必要があり、収納ポケット２の縦縫い２ａの延長線上に支持輪３ｂが配置されることは好ましくない。そのため、収納ポケット２の縦縫い２ａの延長線上には縦縫い３ａが配置されるようにする。
【００２１】
帯状支持部３と収納ポケット２の間には、１５〜５０ｍｍほどの間隔６を設ける。
筆が収納された状態では、筆の柄の中腹が支持輪３ｂにより支持され、筆の柄の尾部が収納ポケット２に収納される。
筆を筆巻１に収納するときには、筆の尾部を支持輪３ｂに通し、そのまま更に筆を差し込んで、筆の尾部を収納ポケット２に差し込む。
筆を筆巻１から取り出すときには、筆をそのまま穂の方向にスライドさせて抜き出す。このとき、筆の穂を手でつかむのは人間の油脂が穂先に付くため望ましくない。
本実施例の筆巻１においては、帯状支持部３と収納ポケット２の間に１５〜５０ｍｍほどの間隔６を設けているため、その隙間に指を入れて筆の柄をつまみ、筆をスライドさせることができる。このように本考案によれば、筆の穂をつかまなくても筆を容易に取り出すことができる。
【００２２】
図６（ａ）及び図６（ｂ）は帯状支持部の他の例を示す斜視図である。
帯状支持部３は図６（ａ）に示すように斜めに設けても良い。もしくは、図６（ｂ）に示すように帯状支持部３と収納ポケット２の間隔が段階的に変化するように、複数の帯状支持部３を設けても良い。
図６（ａ）および図６（ｂ）の例の場合、収納ポケット２の遠くに形成される支持輪３ａには長い筆Ｓ（Ｌ）を収納し、収納ポケット２の近くに形成される支持輪３ａには短い筆Ｓ（Ｓ）を収納する。
【００２３】
図１に示すように、本体１ａの横からは留め帯４が延びている。留め帯４は本体１ａの側縁の中腹から延びる帯状の布である。
留め帯４は幅が２〜３ｃｍの細長い帯状布からなる。本実施例では、留め帯４の素材としてサテンを用いている。サテンは柔らかい上に丈夫であるため留め帯の素材として適しており、また光沢もあるためデザイン性もよい。
図１の留め帯４の裏側の根本には面ファスナー（ループ側）４ｂが縫い付けてあり、留め帯４の表側の先端には面ファスナー（フック側）４ａが縫い付けてある。面ファスナー４ａと面ファスナー４ｂは互いに着脱可能である。
面ファスナー４ｂを長めに設けることにより、図４に示すように筆巻１を丸めて面ファスナー４ａと面ファスナー４ｂを接着させるときに、接着位置に自由度を持たせることができる。その結果、筆を少なく巻いたときでも、筆を多く巻いたときでも面ファスナー４ａと面ファスナー４ｂが確実に重なり合い、強い接着力を発揮することができる。
【００２４】
図７は本考案の筆巻の展開平面図、図８は本考案の筆巻の製造工程を示す斜視図である。
図７に示すように綿製の縦に長い長方形の布８に、収納ポケット２、帯状支持部３、留め帯４を縫い付ける。本実施例においては、デザインを良くするために、留め帯４を布８の左右に渡って縫い付けている。
また留め帯４には、図示上面側に面ファスナー４ｂを、図示下面側に面ファスナー４ａを縫い付ける。
次に、布８を二点鎖線９に沿って山折に折り曲げ、折り目をプレスする。これにより、筆巻１の内側を構成する布と筆巻１の外側を構成する布が２枚重なった状態になる。
【００２５】
図８に示すように、折り曲げた布８の蓋１ｂに相当する部分の左右の側縁１０を縫い、重ね合わせた２枚の布を縫い合わせる。このとき、縫い代が重ね合わせた布の内側に出るように縫い合わせる。
次に、布８の本体１ａと蓋１ｂの境目１１を縫い、重ね合わせた２枚の布を縫い合わせる。
２枚の布の間にすだれ７を挟み、左右の側縁および下縁をバイアステープ５で綴じる。バイアステープ５の幅は５〜１０ｍｍ程度あれば良い。
本実施例ではバイアステープ５により綴じているが、まつり縫いや圧接によって周囲を綴じてもよい。
【００２６】
上述のように完成した筆巻１に筆を収納するときには、図１に示すように蓋１ｂを開いた状態で筆の尾部を支持輪３ｂに通し、そのまま更に筆を差し込んで、筆の尾部を収納ポケット２に差し込む。
次に、図２に示すように蓋１ｂを内側に折りたたんで、筆Ｓの穂に蓋１ｂを被せる。
そして、図３に示すように図示左側から筆巻１を丸め込む。
最後に、図４に示すように留め帯４を巻き付けて、面ファスナー４ａと面ファスナー４ｂを接着させる。
留め帯４の先端にリボンなどの装飾１２を施しておくことにより、筆巻を丸めたときのデザインが華やかになる。
【００２７】
［変形例１］
図９（ａ）および図９（ｂ）は本考案の変形例１を示す斜視図である。筆巻１と同様な構成については、同一の符号を付してその説明を省略する。
図９（ａ）に示す筆巻２０は、実施例に示した筆巻１の変形例である。
筆巻２０は、重ねられた２枚の布の間からすだれ７を取り出せるところに特徴がある。図示上側の布２８はすだれ７の上端部において下側の布と縫い付けられていないため、重ねられた２枚の布の間からすだれ７を抜き取ることができる。
図９（ａ）では、布２８はすだれ７の全面を覆うのではなく、すだれ７の上半分を露出した状態で下側半分だけを覆った例を示すが、すだれ７の上側全面が布２８で覆われていても良い。その場合でもすだれ７の上端部において布２８を下側の布と縫い付けなければ、重ねられた２枚の布の間からすだれ７を抜き取ることができる。
筆巻２０の場合にも、筆巻１と同様に帯状支持部３に筆を通し、筆の尾部を収納ポケット２に差し込んで筆を収納する。蓋２０ｂを折り返して筆の穂に被せ、図示左側から丸めることにより、図４に示す筆巻１と同様な状態で持ち運びが可能になる。
本考案の筆巻２０によれば、図９（ｂ）に示すように布２８からすだれ７を抜き取ることができる。
そのため、すだれ７と布２８を分離させることができ、すだれ７だけを日陰干しにして乾かすことができる。また、筆巻２０が汚れた場合には、すだれ７を抜き取り、布２８だけを洗濯することもできる。
【００２８】
また図９（ａ）は、すだれ７の一部だけを布２８で覆うという考案も示している。筆巻１はすだれ７の表裏の両面が布に覆われていたが、本考案はすだれ７の少なくとも一部分だけを布２８により覆う構成でも良い。このように、すだれ７の一方の面上にすだれ７の一部を覆う布２８を配置することにより、その布２８に収納ポケット２や帯状支持部３を取付けることができる。
従来のように直接すだれに収納部を取り付けるような困難な作業を行わなくて良いため、生産効率が良く、容易に量産化をすることができる。
【００２９】
本考案によれば、筆巻２０を上下逆さまにして持ち歩いても、筆巻２０から筆が落下することがない。また、筆巻２０を巻いていない状態においても筆を確実に固定でき、なお且つ、筆を容易に出し入れすることができる。
【００３０】
［変形例２］
図１０は本考案の変形例２を示す斜視図である。筆巻１と同様な構成については、同一の符号を付してその説明を省略する。
図１０に示す筆巻３０は、実施例に示した筆巻１の変形例である。不図示であるが本体３０ａの２枚の布の間にすだれが挟まれている構造は筆巻１と同様である。
筆巻３０は、帯状支持部３３を平行に２本備えている。各帯状支持部３３の構成は筆巻１の帯状支持部３と同様である。
また筆巻３０は、筆巻１と異なり収納ポケットを備えていない。その代わりに、上下に蓋３０ｂを備えているところに特徴がある。
筆巻３０の場合には、２本の帯状支持部３３に筆を通し、上下の蓋３０ｂを本体３０ａの方向に折り返して筆Ｓの穂を覆い、図示左側から丸めることにより、図４に示す筆巻１と同様な状態で持ち運びが可能になる。
本考案の筆巻３０によれば、上下のどちらの方向からでも筆を入れることができ、筆巻１よりも自由度を持たせた構造になっている。
図１０では帯状支持部３３を２本備えた例を示したが、帯状支持部３３は２本以上であっても良い。
本例においても変形例１のように、重ねられた２枚の布の間からすだれを抜き取れるように構成しても良い。また、変形例１のようにすだれの一部を布から露出されていても良い。
本考案によれば、筆巻３０を上下逆さまにして持ち歩いても、筆巻３０から筆が落下することがない。また、筆巻３０を巻いていない状態においても筆を確実に固定でき、なお且つ、筆を容易に出し入れすることができる。さらに、直接すだれに収納部を取り付けるような困難な作業を行わなくて良いため、生産効率が良く、容易に量産化をすることができる。
【００３１】
本出願に係る第１の考案は、すだれ７の表裏両面を通気性のある布８で挟んでなることを特徴とする筆巻１である。
本出願に係る第２の考案は、すだれ７の表裏両面を布で挟み、その布をすだれ７の上部または上下両部に余剰に延在させることにより、すだれ７の上部で折り返しが可能な布の蓋１ｂまたは上下両部で折り返しが可能な布の蓋３０ｂを形成したことを特徴とする筆巻１（３０）である。
本出願に係る第３の考案は、すだれ７の一方の面上に少なくともすだれ７の一部を覆う第１の布２８を配置し、すだれ７の他方の面に面全体を覆う第２の布を配置し、第２の布をすだれ７の上部に余剰に延在させることにより、すだれ７の上部で折り返しが可能な布の蓋２０ｂを形成したことを特徴とする筆巻２０である。
本出願に係る第４の考案は、すだれ７と、すだれ７の一方の面上に配置され、少なくともすだれ７の一部を覆う布８（２８）と、布８（２８）に設けられ、筆の尾部を収納する収納ポケット２と、布８（２８）に設けられ、筆の柄の中腹を支持する帯状支持部３と、を有することを特徴とする筆巻１（２０）である。
本出願に係る第５の考案は、すだれ７の表面全面を覆い、すだれ７の上部に余剰に延在する第１の布と、すだれ７の裏面全面を覆い、すだれ７の上部に余剰に延在する第２の布とを有し、第１の布と第２の布をすだれ７の外周に沿って縫い合わせ、第１の布に、筆の尾部を収納するための収納ポケット２と筆の柄の中腹を支持するための帯状支持部３を縫い付けてなることを特徴とする筆巻１である。
本出願に係る第６の考案は、二つに折り重ねられた布８の間にすだれ７を挟み、すだれ７の外周に沿って重ねられた布８を縫い合わせた筆巻１であって、布８をすだれの上部に余剰に延在させることにより、すだれ７の上部で折り返しができるように形成された布の蓋１ｂと、すだれ７の一方の面上に配置された布に縫い付けられた収納ポケット２と、すだれ７の一方の面上に配置された布に縫い付けられた帯状支持部３と、を有し、収納ポケット２により筆の尾部を収納し、帯状支持部３により筆の柄の中腹を支持することを特徴とする筆巻１である。
【産業上の利用可能性】
【００３２】
上記の例ではすだれの上下両面に布を配置した例を示すが、すだれ７の上面のみに布を取付けても良い。この場合には、すだれ７に直接布を縫い付けるか、すだれ７に接着剤により布を貼り付ける。収納ポケット２と帯状支持部３は布に縫い付ければ良い。
【００３３】
本考案の筆巻によれば、ボールペンや鉛筆などの筆以外の筆記具や、文鎮や絵の具なども収納ポケットに収納して持ち運ぶことができる。
【図面の簡単な説明】
【００３４】
【図１】図１は本考案の筆巻の蓋を開けた状態を示す斜視図である。
【図２】図２は本考案の筆巻に筆を収納して蓋を折りたたむ様子を示す斜視図である。
【図３】図３は本考案の筆巻を丸め込む様子を示す斜視図である。
【図４】図４は本考案の筆巻を巻いた状態を示す斜視図である。
【図５】図５は本考案の筆巻の一部を断面で表した斜視図である。
【図６】図６（ａ）及び図６（ｂ）は本考案の帯状支持部の他の例を示す斜視図である。
【図７】図７は本考案の筆巻の展開平面図である。
【図８】図８は本考案の筆巻の製造工程を示す斜視図である。
【図９】図９（ａ）および図９（ｂ）は本考案の変形例１を示す斜視図である。
【図１０】図１０は本考案の変形例２を示す斜視図である。
【図１１】図１１（ａ）および図１１（ｂ）は従来の筆巻を示す斜視図である。
【符号の説明】
【００３５】
１…筆巻，１ａ…本体，１ｂ…蓋
２…収納ポケット
３…帯状支持部，３ａ…縦縫い，３ｂ…支持輪
４…留め帯，４ａ…面ファスナー（フック側），４ｂ…面ファスナー（ループ側）
５…バイアステープ
６…間隔
７…すだれ
８…布
９…二点鎖線
１０…側縁
１１…境目
１２…装飾
２０…筆巻，２０ｂ…蓋
２８…布
３０…筆巻，３０ａ…本体，３０ｂ…蓋
３３…帯状支持部
５０…収納筒
Ｓ…筆。
【図１】
0003138909.tif 000003
【図２】
0003138909.tif 000004
【図３】
0003138909.tif 000005
【図４】
0003138909.tif 000006
【図５】
0003138909.tif 000007
【図６】
0003138909.tif 000008
【図７】
0003138909.tif 000009
【図８】
0003138909.tif 000010
【図９】
0003138909.tif 000011
【図１０】
0003138909.tif 000012
【図１１】
0003138909.tif 000013